(57)【要約】扇風機であって、基台部（１）と、基台部（１）に、対向するように設けられた２つの支持部（２）と、それぞれの支持部（２）に設けられた固定部（３）とを備える。また、固定部（３）によって下端が固定される２本の下支柱部（４）と、下支柱部（４）の上端に固定される送風部（５）とを備える。基台部（１）は、支持部（２）と一体に樹脂で形成されたものである。
2015118803.tif 000002
【特許請求の範囲】
【請求項１】
基台部と、
前記基台部に、対向するように設けられた２つの支持部と、
それぞれの前記支持部に設けられた固定部と、
前記固定部によって下端が固定される２本の下支柱部と、
前記下支柱部の上端に固定される送風部とを備え、
前記基台部は、前記支持部と一体に樹脂で形成された扇風機。
【請求項２】
前記支持部は、垂直断面形状が下方に開口した凹形状であり、前記基台部の上面から上方へ伸びた筒形状の上支持部と、前記基台部の下面から下方へ伸びた筒形状の下支持部とからなり、
前記上支持部と前記下支持部とは連通し、
前記下支柱部の下端は、前記上支持部と前記下支持部とに挿入され、
前記上支持部には、前記固定部を備え、
前記下支持部には、前記基台部に連結する補強部が設けられた請求項１に記載の扇風機。
【請求項３】
前記固定部の軸心と前記下支柱部の下端との距離、および前記固定部の前記軸心と前記下支持部の下端との距離は、前記固定部の前記軸心と前記上支持部の上端との距離より長い請求項２に記載の扇風機。
【請求項４】
前記固定部は、前記上支持部の内方に設けられた孔と、前記孔に対向して前記下支柱部の下部に設けられたねじ孔と、前記孔を介して前記ねじ孔にねじ止めされるねじとからなり、
前記２つの支持部は、前記基台部における左右方向に対向し、
前記孔の軸方向は、前記基台部における左右方向である請求項２または３に記載の扇風機。
【請求項５】
前記上支持部および前記下支持部の中心軸は、前記基台部の内周面と外周面とに垂直な線分の中点より、前記内周面寄りに設けられた請求項２から４のいずれかに記載の扇風機。
【発明の詳細な説明】
【技術分野】
【０００１】
本発明は、扇風機に関する。
【背景技術】
【０００２】
従来の扇風機は、Ｕ字形状で金属製の基台部と、基台部に対向するように固定可能な２つの支持部と、それぞれの支持部に固定可能な２本の下支柱部と、下支柱部の上端に固定される送風部とからなる。支持部は、第１の固定部によって、基台部に固定される。第２の固定部によって、下支柱部の下端は、支持部に固定される（例えば、特許文献１を参照）。
【先行技術文献】
【特許文献】
【０００３】
【特許文献１】特開昭６３−１３８１９６号公報
【発明の概要】
【０００４】
従来の扇風機は、基台部に下支柱部を取り付け組み立てるのに、手間がかかるという課題を有している。
【０００５】
そこで、本発明は、基台部への下支柱部の取り付けを容易にし、組み立て性を更に向上させることを目的とする。
【０００６】
この目的を達成するために、本発明の扇風機は、基台部と、基台部に、対向するように設けられた２つの支持部と、それぞれの支持部に設けられた固定部とを備える。また、固定部によって下端が固定される２本の下支柱部と、下支柱部の上端に固定される送風部とを備える。基台部は、支持部と一体に樹脂で形成されたものである。
【０００７】
本発明によれば、基台部に下支柱部を固定する場合に、固定部によって、下支柱部を固定できるので、基台部への下支柱部の取り付けを容易にし、組み立て性を更に向上させることができる。
【図面の簡単な説明】
【０００８】
【図１】図１は、本発明の実施の形態の扇風機の外観を示す斜視図である。
【図２】図２は、本発明の実施の形態の扇風機の分解図である。
【図３】図３は、本発明の実施の形態の扇風機の基台部を底面から見た斜視図である。
【図４】図４は、本発明の実施の形態の扇風機の基台部の支持部を底面から見た拡大斜視図である。
【図５】図５は、本発明の実施の形態の扇風機の基台部の支持部を示す拡大斜視図である。
【図６】図６は、本発明の実施の形態の扇風機の連結部を示す拡大斜視図である。
【図７】図７は、本発明の実施の形態の扇風機の基台部を底面から見た模式図である。
【発明を実施するための形態】
【０００９】
以下、本発明の実施の形態について、図面を参照しながら説明する。なお、この実施の形態によって本発明が限定されるものではない。
【００１０】
図１は、本発明の実施の形態の扇風機の外観を示す斜視図である。図２は、同扇風機の分解図である。本実施の形態の扇風機は、基台部１と、支持部２と、固定部３と、下支柱部４と、送風部５とを備えている。
【００１１】
図３は、本発明の実施の形態の扇風機の基台部１を底面から見た斜視図である。基台部１は、図１および図３に示すように、前後に対称であり、左右に対称である。基台部１は、左右方向に長い横長四角形状である。基台部１の垂直断面形状は、下方に開口した凹形状である。基台部１は、内周面６と、天面７と、外周面８とからなる。基台部１は、下面に、内周面６と、天面７と、外周面８とを連結する、多数の板形状の基台補強リブ９を備えている。基台部１は、左右の短辺に、対向する２つの支持部２を備えている。
【００１２】
図４は、本発明の実施の形態の扇風機の基台部１の支持部２を底面から見た拡大斜視図である。図５は、同扇風機の基台部１の支持部２を示す拡大斜視図である。支持部２は、図３、図４、図５に示すように、基台部１の上面から上方へ伸びた円筒形状の上支持部１０と、基台部１の下面から下方へ伸びた円筒形状の下支持部１１とからなる。上支持部１０と下支持部１１とは、連通している。
【００１３】
基台部１の左右の支持部２は、図１、図４、図５に示すように、固定部３を備えている。この固定部３によって、２本の下支柱部４の下端が、支持部２に固定されている。下支持部１１は、基台部１の内周面６と一体になっている。下支持部１１の周面から基台部１の下面、および基台補強リブ９へ、複数の補強部であり、垂直面を有する板形状の支持補強リブ１２が伸びている。
【００１４】
下支柱部４は、軸方向が上下方向で、円筒形状である。下支柱部４の材質は、金属である。下支柱部４の上端には、送風部５が固定されている。
【００１５】
送風部５は、下支柱部４の上端に固定される連結部１３と、この連結部１３の上部に下端を固定される２本の上支柱部１４と、これらの上支柱部１４に回動自在に設けられる送風部１５とから構成されている。
【００１６】
上支柱部１４は、軸方向が上下方向で、円筒形状である。上支柱部１４の材質は、金属である。上支柱部１４には、送風部１５が回動自在に装着できる。
【００１７】
連結部１３は、２つの連結支持部１６と、連結固定部１７と、横長四角板形状の連結板部１８とからなる。２つの連結支持部１６には、下支柱部４の上端と上支柱部１４の下端とが挿入されている。連結固定部１７は、連結支持部１６の上方と下方に設けられている。連結板部１８は、２つの連結支持部１６を連結している。
【００１８】
図６は、本発明の実施の形態の扇風機の連結部１３を示す拡大斜視図である。連結支持部１６は、図６に示すように、軸方向が上下方向で、円筒形状である。連結支持部１６の材質は、樹脂である。連結固定部１７は、連結支持部１６と下支柱部４の上端とを連結する下連結固定部１９と、連結支持部１６と上支柱部１４の下端とを連結する上連結固定部２０とからなる。
【００１９】
下連結固定部１９は、下方孔２１と、上ねじ孔２２と、上ねじ２３とからなる。下方孔２１は、連結支持部１６の下方の外側に備えられている。上ねじ孔２２は、下方孔２１に対向して、下支柱部４の上部に設けられている。上ねじ２３は、下方孔２１を介して、上ねじ孔２２にねじ止めされる。上連結固定部２０は、上方孔２４と、下ねじ孔２５と、上方孔２４を介して下ねじ孔２５にねじ止めされる下ねじ２６とからなる。上方孔２４は、連結支持部１６の上方の外側に備えられている。下ねじ孔２５は、上方孔２４に対向して、上支柱部１４の下部に設けられている。下ねじ２６は、上方孔２４を介して、下ねじ孔２５にねじ止めされる。２つの連結支持部１６は、基台部１における左右方向に対向している。下方孔２１と上方孔２４の軸方向は、基台部１における左右方向である。２つの連結支持部１６は、連結板部１８の両端が一体に、樹脂で形成されている。
【００２０】
本実施の形態の扇風機は、図２に示すように、送風部５と、連結部１３と、２本の下支柱部４と、基台部１とをねじで固定することによって、組み立てられる。すなわち、梱包状態は、送風部５と、連結部１３と、２本の下支柱部４と、基台部１とが、一つの梱包ケースに、バラバラで収納されている。
【００２１】
本実施の形態の特徴は、基台部１を支持部２と一体に、樹脂で形成した点である。これにより、基台部１に下支柱部４を固定する場合に、基台部１の支持部２に、固定部３によって、下支柱部４を固定できる。したがって、基台部１への下支柱部４の取り付けを容易にし、組み立て性を更に向上することができる。
【００２２】
具体的には、図３、図４、図５に示すように、支持部２は、基台部１の上面から上方へ伸びた筒形状の上支持部１０と、基台部１の下面から下方へ伸びた筒形状の下支持部１１とを備えている。上支持部１０と下支持部１１とは連通し、下支柱部４の下端を、上支持部１０と下支持部１１とに挿入できる。上支持部１０は、下支柱部４を支持部２に固定する固定部３を備えている。下支持部１１には、基台部１に連結する補強部が設けられている。補強部は、下支持部１１の周面から基台部１の下面、および基台補強リブ９への複数の補強部であり、垂直面を有する、板形状の支持補強リブ１２である。
【００２３】
これにより、基台部１に下支柱部４を固定する場合に、まず、基台部１の支持部２である上支持部１０の上端の開口から、下支柱部４の下端を挿入する。次に、下支柱部４の下端を、下支持部１１の下端まで、更に挿入する。最後に、上支持部１０の固定部３によって、下支柱部４を支持部２に固定する。このように、下支柱部４を基台部１の支持部２に挿入し、固定部３によって、支持部２に下支柱部４を固定できる。したがって、基台部１への下支柱部４の取り付けを容易にすることができる。また、下支持部１１には、基台部１に連結する補強部が設けられている。したがって、下支持部１１に下支柱部４が倒れる方向に力が加わった場合にも、下支柱部４から支持部２に加わる力を、補強部を介して、基台部１で受けることができる。したがって、支持部２の強度が向上し、送風部５を支持することができる。
【００２４】
また、図５に示すように、固定部３の軸心と下支柱部４の下端との距離Ｘ１、および固定部３の軸心と下支持部１１の下端との距離Ｘ１’は、固定部３の軸心と上支持部１０の上端との距離Ｘ２より長いものである。
【００２５】
これにより、下支柱部４に、下支柱部４が倒れる方向に力が加わった場合にも、固定部３の軸心を中心に回動するように下支柱部４が傾く。したがって、上支持部１０の上端での下支柱部４の移動距離は、下支持部１１の下端での下支柱部４の移動距離より小さくなる。これにより、上支持部１０の上端に加わる力は、下支持部１１の下端に加わる力より小さくなり、上支持部１０の上端の破損を抑制できる。また、下支柱部４から下支持部１１に加わる力を、補強部を介して、基台部１で受けることができる。したがって、支持部２の強度が向上し、送風部５を支持することができる。
【００２６】
また、図５に示すように、固定部３は、上支持部１０の内方に備えられた孔２７と、この孔２７に対向して下支柱部４の下部に設けられたねじ孔２８と、孔２７を介してねじ孔２８にねじ止めされるねじ２９とからなる。２つの支持部２は、基台部１における左右方向に対向し、孔２７の軸方向は、基台部１における左右方向である。これにより、ねじ２９が、上支持部１０の内方に位置する。したがって、ねじ２９が、基台部１の外方から見え難く、デザイン性が向上する。
【００２７】
また、図４に示すように、下支持部１１の下端の開口は、下カバー３０によって塞がれている。これにより、下支持部１１の強度が向上する。更に、下支柱部４の下端を挿入し、下支持部１１の下端である下カバー３０に下支柱部４の下端が接触すると、上支持部１０の内方に備えられた孔２７と、下支柱部４の下部に設けられたねじ孔２８とが連通する。これにより、ねじ２９による組立作業性が向上する。
【００２８】
また、図７は、本発明の実施の形態の扇風機の基台部を底面から見た模式図である。点Ｔを上下に貫く軸は、上支持部１０および下支持部１１の、中心軸である。線分ＵＶは、点Ｔを通り、内周面６と外周面８とに垂直な線分である。点Ｓは、線分ＵＶの中点である。図７からわかるように、点Ｔは、線分ＵＶにおいて、点Ｓより、内周面６寄りに設けられている。つまり、支持部２である上支持部１０および下支持部１１の中心軸は、内周面６と外周面８とに垂直な線分の中点より、内周面６寄りに設けられている。具体的には、支持部２である上支持部１０および下支持部１１の中心軸と、基台部１における内周面６との距離ＴＶは、支持部２である上支持部１０および下支持部１１の中心軸と、基台部１における外周面８との距離ＵＴより小さい。これにより、扇風機の安定性が向上する。
【００２９】
以上のように、本実施の形態の扇風機は、基台部１と、基台部１に、対向するように設けられた２つの支持部２と、それぞれの支持部２に設けられた固定部３とを備える。また、固定部３によって下端が固定される２本の下支柱部４と、下支柱部４の上端に固定される送風部５とを備える。また、基台部１は、支持部２と一体に樹脂で形成されたものである。これにより、基台部１への下支柱部４の取り付けを容易にし、組み立て性を更に向上させることができる。
【００３０】
また、支持部２は、垂直断面形状が下方に開口した凹形状であり、基台部１の上面から上方へ伸びた筒形状の上支持部１０と、基台部１の下面から下方へ伸びた筒形状の下支持部１１とからなる。上支持部１０と下支持部１１とは連通している。下支柱部４の下端は、上支持部１０と下支持部１１とに挿入される。上支持部１０には、固定部３を備える。下支持部１１には、基台部１に連結する補強部１２が設けられている。これにより、基台部１に下支柱部４の取り付けを容易にすることができる。また、下支持部１１に下支柱部４が倒れる方向に力が加わった場合にも、下支柱部４から支持部２に加わる力を、補強部１２を介して、基台部１で受けることができる。したがって、支持部２の強度が向上し、送風部５を支持することができる。
【００３１】
また、固定部３の軸心と下支柱部４の下端との距離、および固定部３の軸心と下支持部１１の下端との距離は、固定部３の軸心と上支持部１０の上端との距離より長い。これにより、上支持部１０の上端での下支柱部４の移動距離は、下支持部１１の下端での下支柱部４の移動距離より小さくなる。したがって、上支持部１０の上端に加わる力は、下支持部１１の下端に加わる力より小さくなり、上支持部１０の上端の破損を抑制できる。
【００３２】
また、固定部３は、上支持部２の内方に設けられた孔２７と、孔２７に対向して下支柱部４の下部に設けられたねじ孔２８と、孔２７を介してねじ孔２８にねじ止めされるねじ２９とからなる。２つの支持部２は、基台部１における左右方向に対向し、孔の軸方向は、基台部１における左右方向である。これにより、ねじ２９が、上支持部１０の内方に位置する。したがって、ねじ２９が、基台部１の外方から見え難く、デザイン性が向上する。
【００３３】
また、上支持部１０および下支持部１１の中心軸は、基台部１の内周面６と外周面８とに垂直な線分の中点より、内周面６寄りに設けられている。これにより、扇風機の安定性が向上する。
【産業上の利用可能性】
【００３４】
本発明によれば、基台部に下支柱部の取り付けを容易にし、組み立て性を更に向上することができるので、扇風機に有用である。
【符号の説明】
【００３５】
１    基台部
２    支持部
３    固定部
４    下支柱部
５    送風部
６    内周面
７    天面
８    外周面
９    基台補強リブ
１０    上支持部
１１    下支持部
１２    支持補強リブ
１３    連結部
１４    上支柱部
１５    送風部
１６    連結支持部
１７    連結固定部
１８    連結板部
１９    下連結固定部
２０    上連結固定部
２１    下方孔
２２    上ねじ孔
２３    上ねじ
２４    上方孔
２５    下ねじ孔
２６    下ねじ
２７    孔
２８    ねじ孔
２９    ねじ
３０    下カバー
【図１】
2015118803.tif 000003
【図２】
2015118803.tif 000004
【図３】
2015118803.tif 000005
【図４】
2015118803.tif 000006
【図５】
2015118803.tif 000007
【図６】
2015118803.tif 000008
【図７】
2015118803.tif 000009
【国際調査報告】
2015118803.tif 000010
2015118803.tif 000011
2015118803.tif 000012
2015118803.tif 000013